(57)【要約】      （修正有）【課題】日本人の感性に訴える趣のある音色を発し、かつ簡易に演奏ができて、例えばスポーツ観戦時において応援をしながら使用することができる楽器を提供する。【解決手段】楽器１は単一の把持部２と、その把持部２の一端に取り付けられた発音部３とを有し、片手に持って簡易に演奏することができる。発音部は３以上の発音要素４を揺動可能に積層し、連結してなるので、すくなくとも一の発音要素は他の発音要素間で搖動して、接触する時の衝撃音で「シャ」という擦過音に近い打音を発する。発音要素を１０以上にすることによって、わび・さびとも称されることがある、日本人の感性に訴える趣のある音色を発する様にすることができる。【選択図】図１
0003185960.tif 000002
【実用新案登録請求の範囲】
【請求項１】
単一の把持部と、その把持部の一端に取り付けられた発音部とを有し、前記発音部は３以上の発音要素を揺動可能に積層し、連結してなり、その３以上の発音要素のうちの一の要素が前記把持部に取り付けられてなることを特徴とする楽器。
【請求項２】
前記３以上の発音要素が実質的に同一形状とされてなる請求項１に記載の楽器。
【請求項３】
前記発音要素が木製板状である請求項１又は請求項２記載の楽器。  
【請求項４】
前記発音要素が金属製板状である請求項１又は請求項２記載の楽器。  
【請求項５】
前記発音要素が１０以上である請求項１〜請求項４のいずれか一に記載の楽器。
【考案の詳細な説明】
【技術分野】
【０００１】
本考案は楽器、更に詳細には片手で操作でき、趣のある音色の音を簡易に発することができる楽器に関する。
【背景技術】
【０００２】
従来から楽器は、打楽器（太鼓）、管楽器（ラッパ、ホルン、フルート、クラリネット）、弦楽器（バイオリン、ギター）、鍵盤楽器（オルガン、チェンバロ、ピアノ）等の種々のものが知られており、主に音楽の演奏に用いられている。
【０００３】
また最近では、スポーツ観戦時、例えばサッカー試合の観戦などにおいて楽器が使用されており、各チームを応援するサポーターのあいだにおいて、チアーホーン、太鼓等が使用されている。
【０００４】
このような用途の楽器として特許文献１は、異なる複数の音を一使用者によって簡易に発することができる楽器を提供することを目的とし、打撃によって音を発する１又は２以上の膜鳴体と、擦ることによって音を発する擦体鳴体とを一体化して備えた楽器を提案した。
【０００５】
ところで、富山県五箇山地方の民謡である、『こきりこ節』を歌って踊る際に用いる民俗楽器である、こきりこささら（びんささら、板ささら）が知られている。このこきりこささらは108枚の木片と両端のグリップを、ひもで結びつけた形をしており、両手でそれぞれのグリップを握りアーチ状に保持した後、片手のスナップを効かせるようにして演奏する。すると木片が隣の木片へと次々に衝撃を伝え、このとき発する衝撃音で「シャ」という擦過音に近い打音が響き、わび・さびとも称されることがある、日本人の感性に訴える趣のある音色を発する。
【先行技術文献】
【特許文献】
【０００６】
【特許文献１】実開平07-041591号公報
【考案の概要】
【考案が解決しようとする課題】
【０００７】
しかしながら、こきりこささらは、両手でグリップを握りアーチ状に保持して演奏する必要があり、スポーツ観戦時において応援をしながら使用するにはいささか不便であり、スポーツ観戦時の応援用に用いることはできなかった。
【０００８】
本考案は、前述の従来の技術の欠点に着目し、これを解決せんとしたものであり、日本人の感性に訴える趣のある音色を発し、かつ簡易に演奏ができて、例えばスポーツ観戦時において応援をしながら使用することができる楽器を提供することを目的とする。
【課題を解決するための手段】
【０００９】
すなわち本考案の楽器は単一の把持部と、その把持部の一端に取り付けられた発音部とを有し、前記発音部は３以上の発音要素を揺動可能に積層し、連結してなり、その３以上の発音要素のうちの一の要素が前記把持部に取り付けられてなることを特徴とする。
【００１０】
前記３以上の発音要素が実質的に同一形状とされてなるようにしてもよい。
【００１１】
前記発音要素が木製板状であるようにしてもよく、また前記発音要素が金属製板状であるようにしてもよい。さらに前記発音要素が１０以上であるようにすることもできる。
【００１２】
本考案の楽器は単一の把持部と、その把持部の一端に取り付けられた発音部とを有し、片手に持って簡易に演奏することができる。
しかも前記発音部は３以上の発音要素を揺動可能に積層し、連結してなるので、すくなくとも一の発音要素は他の発音要素間で搖動して、他の発音要素と接触する時の衝撃音で「シャ」という擦過音に近い打音を発するようにすることができる。さらに前記発音要素が１０以上であるようにすることによって、わび・さびとも称されることがある、日本人の感性に訴える趣のある音色を発する様にすることができる。
【図面の簡単な説明】
【００１３】
【図１】本考案の楽器の正面図である。
【図２】本考案の楽器の右側面図である。
【図３】本考案の楽器の左側面図である
【図４】本考案の楽器の平面図である。
【図５】本考案の楽器の底面図である。
【図６】本考案の楽器の背面図である。
【図７】本考案の楽器の斜視図である。
【図８】本考案の楽器の部分斜視図である。
【考案を実施するための形態】
【００１４】
以下、本考案を実施するための形態を添付図面に基づいて説明するが、本考案はこれに限定されるものではない。
【００１５】
図１乃至図８において本考案の一実施の形態の楽器１は、単一の把持部２と、その把持部の一端に取り付けられた発音部３とを有する。
発音部３は３以上の、具体的には１０以上である１５個の発音要素４を積層し、一連の紐５によって揺動可能に連結してなる。その１５個の発音要素４のうちの一の要素４ａは前記把持部２に紐５によって取り付けられる。
以上のように発音部３はは３以上の発音要素４を揺動可能に積層し、連結してなるので、すくなくとも一の発音要素４ｂは他の発音要素４ｃ及び発音要素４ｄ間で搖動して、他の発音要素４と接触する時の衝撃音で「シャ」という擦過音に近い打音を発するようにすることができる。
【００１６】
図４から明らかなように発音要素４は本実施の形態では直方平板状で実質的に同一形状とされてなる。このように直方平板状で実質的に同一形状の発音要素４を１０以上である１５個積層することによってバラツキの無い複合的な打撃音が得られる。
【００１７】
また本実施の形態では発音要素４は木製とされ、これによってこきりこささらに類似した、木片が隣の木片へと次々に衝撃を伝え、このとき発する衝撃音で「シャ」という擦過音に近い打音が響き、わび・さびとも称されることがある、日本人の感性に訴える趣のある音色を発する。
なお、前記発音要素４が金属製板状であるようにすると、モダンな金属音が発せられるようにすることができる。
【００１８】
以上、述べた本考案にかかる楽器は、発音部３の発音要素４及び／又は把持部２としてはプラスチック、木材、金属の他、皮、布等の中から適当なものを選ぶことができる。
また紐５の材質としてもプラスチック、木材、金属の他、皮、布、麻、木綿、絹等の中から適当なものを選ぶことができる。
【符号の説明】
【００１９】
１・・・楽器、２・・・把持部、３・・・発音部、４・・・発音要素、５・・・紐。
【図１】
0003185960.tif 000003
【図２】
0003185960.tif 000004
【図３】
0003185960.tif 000005
【図４】
0003185960.tif 000006
【図５】
0003185960.tif 000007
【図６】
0003185960.tif 000008
【図７】
0003185960.tif 000009
【図８】
0003185960.tif 000010